(57)【要約】【課題】電極間接続のバスバー及びその短絡保護構造を筐体内に収納可能である、蓄電容量が大きい組電池、及びそれを構成する蓄電装置を提供する。【解決手段】第１の表面１０及び当該第１の表面１０と反対側の第２の表面１１を有し、第１の表面１０から第２の表面１１まで延在する切り欠きが、その４隅のそれぞれに設置された角型の筐体２と、第１の表面１０の第１の対角線の両端に位置する２つの切り欠きのそれぞれに配置された正極端子３ａ、３ｂと、第１の表面１０の第１の対角線と交差する第２の対角線の両端に位置する２つの前記切り欠きのそれぞれに配置された負極端子４ａ、４ｂと、を備える。【選択図】図２
2019212561.tif 000002
【特許請求の範囲】
【請求項１】
第１の表面及び当該第１の表面と反対側の第２の表面を有し、前記第１の表面から前記第２の表面まで延在する切り欠きが、その４隅のそれぞれに設置された角型の筐体と、
前記第１の表面の第１の対角線の両端に位置する２つの前記切り欠きのそれぞれに配置された正極端子と、
前記第１の表面の前記第１の対角線と交差する第２の対角線の両端に位置する２つの前記切り欠きのそれぞれに配置された負極端子と、を備える、蓄電装置。
【請求項２】
複数の端子カバーを更に備え、
前記複数の端子カバーの各々は、個々の切り欠きを覆った状態で前記筐体に固定される、請求項１に記載の蓄電装置。
【請求項３】
前記正極端子及び前記負極端子のそれぞれは、螺子構造を備える、請求項１又は２に記載の蓄電装置。
【請求項４】
前記螺子構造は、端子カバーで覆い隠される、請求項３に記載の蓄電装置。
【請求項５】
請求項１に記載の蓄電装置を少なくとも２つ有し、
前記少なくとも２つの蓄電装置は、１つの蓄電装置の前記第１の表面ともう１つの蓄電装置の前記第２の表面とが同一平面をなし、それぞれの２隅の前記正極端子の各々及び前記負極端子の各々が互いに隣接するように配置された組電池であって、
互いに隣接する、前記１つの蓄電装置の前記正極端子と、前記もう１つの蓄電装置の前記正極端子と、を接続する第１のバスバーと、
互いに隣接する、前記１つの蓄電装置の前記負極端子と、前記もう１つの蓄電装置の前記負極端子とを接続する第２のバスバーと、を備える、組電池。
【請求項６】
前記１つの蓄電装置の前記正極端子及び前記もう１つの蓄電装置の前記正極端子のそれぞれを覆う複数の第１の端子カバーと、
前記１つの蓄電装置の前記負極端子及び前記もう１つの蓄電装置の前記負極端子のそれぞれを覆う複数の第２の端子カバーと、を備え、
前記第１のバスバーは、前記複数の第１の端子カバーで覆い隠され、
前記第２のバスバーは、前記複数の第２の端子カバーで覆い隠される、請求項５に記載の組電池。
【請求項７】
請求項１に記載の蓄電装置を複数有し、
複数の蓄電装置は、それぞれの４隅の前記切り欠きが一直線上に並び、且つそれぞれの前記正極端子及びそれぞれの前記負極端子が一直線上に並ぶように配置された組電池であって、
前記一直線上に並んだ前記正極端子を一括して接続する第３のバスバーと、
前記一直線上に並んだ前記負極端子を一括して接続する第４のバスバーと、を備える、組電池。
【請求項８】
前記一直線上に並んだ前記正極端子のそれぞれを覆う複数の第１の端子カバーと、
前記一直線上に並んだ前記負極端子のそれぞれを覆う複数の第２の端子カバーと、
前記第３のバスバーは、前記複数の第１の端子カバーで覆い隠され、
前記第４のバスバーは、前記複数の第２の端子カバーで覆い隠される、請求項７に記載の組電池。
【請求項９】
前記複数の第１の端子カバーの各々及び前記複数の第２の端子カバーの各々で、前記切り欠きを覆われた前記蓄電装置のそれぞれは直方体形状を有する、請求項６又は８に記載の組電池。
【発明の詳細な説明】
【技術分野】
【０００１】
本発明は、蓄電装置、及び複数の当該蓄電装置を接続した組電池に関する。
【背景技術】
【０００２】
現在、種々の技術分野において蓄電装置の大容量化が求められている。この大容量化への要望は、例えば、ニッケル水素電池あるいはリチウムイオン電池のような単体セルを、又は、その単体セルを複数個接続して所望の出力電圧及び蓄電容量を有する蓄電装置を、多数個並列接続した組電池として実現される。
【０００３】
このような組電池では、並列接続された多数個の単体セル又は蓄電装置を、極力小さくパッケージングするため、角型の筐体が採用されている。例えば、特許文献１には、角型の筐体を有する電池モジュールを並列接続した蓄電装置が開示されている。この蓄電装置では、正極及び負極の電極端子が両方とも蓄電装置の筐体から外側に突出して形成されており、且つ、正極及び負極の電極端子がそれぞれ一つずつ配置されている。
【先行技術文献】
【特許文献】
【０００４】
【特許文献１】特開２０１６−１２３９１号公報
【発明の概要】
【発明が解決しようとする課題】
【０００５】
この大容量化された組電池を構成するためには、蓄電装置をアレイ状に多数個配置し、且つ、それらを積層して立体化した上で、その全部を並列接続することが求められる。このとき、各蓄電装置の正極及び負極の電極端子がそれぞれ一つずつであると、上記立体化構造において、正極同士を接続する配線と、負極同士を接続する配線とを交差させて配設することが不可避となる。それゆえ、電極間の接続を行う配線、例えばバスバーは蓄電装置の筐体から外方へ突出させ、その外側を延伸させることが必要になる。
【０００６】
又、このような組電池では、各電極やバスバー等が蓄電装置の外側に露出しているため、それらを覆って、組電池の周囲に配置された装置から絶縁（短絡保護）することも必須である。従って、組電池全体の大きさは蓄電装置の筐体の外方に突出して延伸するバスバー等の電極端子の接続配線を収納する部分に加え、それらを覆い短絡保護を行うための構造物が付加されたものとなる。これら収納部分及び短絡保護の構造物を付加した組電池の大きさは、個々の蓄電装置の大きさを集積した個数分乗算した大きさよりも、かなり大きなものになる。
【０００７】
本発明は、このような状況を鑑みてなされたものであり、その目的とするところは、複数の蓄電装置を、縦並び又は横並びで配置して、それらを更に積層した立体化構造において、個々の蓄電装置の正極同士及び負極同士が互いに隣接するように配置され、電極間接続のバスバー及びその短絡保護構造を筐体内に収納可能である、蓄電容量が大きい組電池、及びそれを構成する蓄電装置を提供することである。
【課題を解決するための手段】
【０００８】
本発明の第１の態様の蓄電装置は、第１の表面及び当該第１の表面と反対側の第２の表面を有し、第１の表面から第２の表面まで延在する切り欠きが、その４隅のそれぞれに設置された角型の筐体と、第１の表面の第１の対角線の両端に位置する２つの切り欠きのそれぞれに配置された正極端子と、第１の表面の第１の対角線と交差する第２の対角線の両端に位置する２つの切り欠きのそれぞれに配置された負極端子と、を備える。
【０００９】
本発明の第２の態様によれば、上記第１の態様において、複数の端子カバーを更に備え、複数の端子カバーの各々は、個々の切り欠きを覆った状態で前記筐体に固定される。
【００１０】
本発明の第３の態様によれば、上記第１の態様又は上記第２の態様において、正極端子及び負極端子のそれぞれは、螺子構造を備える。
【００１１】
本発明の第４の態様によれば、上記第３の態様において、螺子構造は、端子カバーで覆い隠される。
【００１２】
本発明の第５の態様によれば、上記第１の態様の蓄電装置を少なくとも２つ有し、少なくとも２つの蓄電装置は、１つの蓄電装置の第１の表面ともう１つの蓄電装置の第２の表面とが同一平面をなし、それぞれの２隅の正極端子の各々及び負極端子の各々が互いに隣接するように配置された組電池であって、互いに隣接する、１つの蓄電装置の正極端子と、もう１つの蓄電装置の正極端子と、を接続する第１のバスバーと、互いに隣接する、１つの蓄電装置の負極端子と、もう１つの蓄電装置の負極端子とを接続する第２のバスバーと、を備える。
【００１３】
本発明の第６の態様によれば、上記第５の態様において、１つの蓄電装置の正極端子及びもう１つの蓄電装置の正極端子のそれぞれを覆う複数の第１の端子カバーと、１つの蓄電装置の負極端子及びもう１つの蓄電装置の負極端子のそれぞれを覆う複数の第２の端子カバーと、を備え、第１のバスバーは、複数の第１の端子カバーで覆い隠され、第２のバスバーは、複数の第２の端子カバーで覆い隠される。
【００１４】
本発明の第７の態様によれば、上記第１の態様の蓄電装置を複数有し、複数の蓄電装置は、それぞれの４隅の切り欠きが一直線上に並び、且つそれぞれの正極端子及びそれぞれの負極端子が一直線上に並ぶように配置された組電池であって、一直線上に並んだ正極端子を一括して接続する第３のバスバーと、一直線上に並んだ負極端子を一括して接続する第４のバスバーと、を備える。
【００１５】
本発明の第８の態様によれば、上記第７の態様において、一直線上に並んだ正極端子のそれぞれを覆う複数の第１の端子カバーと、一直線上に並んだ負極端子のそれぞれを覆う複数の第２の端子カバーと、第３のバスバーは、複数の第１の端子カバーで覆い隠され、第４のバスバーは、複数の第２の端子カバーで覆い隠される。
【００１６】
本発明の第９の態様によれば、上記第６の態様又は上記第８の態様において、複数の第１の端子カバーの各々及び複数の第２の端子カバーの各々で、切り欠きを覆われた蓄電装置のそれぞれは直方体形状を有する。
【発明の効果】
【００１７】
本発明の蓄電装置によれば、複数の蓄電装置を、縦並び又は横並びで配置して、それらを更に積層した立体化構造において、個々の蓄電装置の正極同士及び負極同士が互いに隣接するように配置され、電極間接続のバスバー及びその短絡保護構造を筐体内に収納可能である、蓄電容量が大きい組電池、及びそれを構成する蓄電装置を提供することができる。
【図面の簡単な説明】
【００１８】
【図１】本発明の第１の実施形態の端子カバー付き蓄電装置の斜視図。
【図２】本発明の第１の実施形態の蓄電装置の分解斜視図
【図３】本発明の第１の実施形態の蓄電装置の正面図及び各側面図。
【図４】本発明の第１の実施形態の蓄電装置の変型例の斜視図。
【図５】本発明の第２の実施形態の横並び接続の組電池の斜視図。
【図６】本発明の第２の実施形態の横並び接続の組電池の正面図及び各側面図。
【図７】本発明の第２の実施形態の横並び接続の端子カバー付き組電池の斜視図。
【図８】本発明の第３の実施形態の縦並び接続の組電池の斜視図。
【図９】本発明の第３の実施形態の縦並び接続の組電池の正面図及び各側面図。
【図１０】本発明の第３の実施形態の縦並び接続の端子カバー付き組電池の斜視図。
【図１１】本発明の第４の実施形態の横並び接続を積層した組電池の斜視図。
【図１２】本発明の第４の実施形態の横並び接続を積層した組電池の正面図及び各側面図。
【図１３】本発明の第４の実施形態の横並び接続を積層した組電池の完成斜視図。
【図１４】本発明の第５の実施形態の縦並び接続を積層した組電池の斜視図。
【図１５】本発明の第５の実施形態の縦並び接続を積層した組電池の正面図及び各側面図。
【図１６】本発明の第５の実施形態の縦並び接続を積層した組電池の完成斜視図。
【発明を実施するための形態】
【００１９】
以下、図面に基づいて、本発明の実施形態について説明する。
【００２０】
＜第１の実施形態＞
図１は、本発明の第１の実施形態の蓄電装置１の完成時の斜視図を示し、図２は、図１に示した蓄電装置１の分解斜視図を示す。蓄電装置１は、角型の筐体２を有し、この筐体２は、第１の表面１０及びその反対側の第２の表面１１（図５に示す）を有し、第１の表面１０の４隅のそれぞれには、第１の表面１０から第２の表面１１まで延在する切り欠き１２が配置されている。
【００２１】
これらの切り欠き１２は、第１の表面１０に、例えばＬ字形状を形成し、この切り欠き１２の表面には、その表面に沿ったＬ字形状の電極が配置されている。これらのＬ字形状の電極には、雌螺子構造、及びこの雌螺子構造に、例えばバスバー等を固定するためのボルト６（図２）設置されている。又、この固定するための構造は、雄螺子型端子７及びナット（図４）で構成してもよい。
【００２２】
それぞれの切り欠き１２には、上記Ｌ字形状の電極を覆い隠して、筐体２の切り欠き１２に固定される、端子カバー５を設置できる。これらの端子カバー５が設置された状態で、蓄電装置１は角型の形状を有する。
【００２３】
図３は、第１の実施形態の蓄電装置１の正面図、及び蓄電装置１を上下左右のそれぞれの方向から見た側面図である。その中央に正面図が示され、上側から見た側面図が正面図の上側に、下側から見た側面図が正面図の下側に、左側から見た側面図が正面図の左側に、右側から見た側面図が正面図の右側に、それぞれ記載されている。
【００２４】
ここでいう上側、下側、左側、及び右側は、特定の方向に限定されるものではないが、少なくとも、上側と下側は互いに反対方向であり、左側と右側は互いに反対方向であり、且つ上側と下側を結ぶ方向は、左側と右側を結ぶ方向と概ね直交する。
【００２５】
図３の中央の正面図は、第１の表面１０側から見た平面図である。第１の表面１０の反対側には、第１の表面１０と平行な第２の表面１１がある（図示されず）。上側から見た側面図は、第１の表面１０及び第２の表面１１のそれぞれの短辺の間を結ぶ短側面１３側から平面視したものである。下側から見た側面図は、上側から見た側面図の短側面１３と、第１の表面１０及び第２の表面１１を挟んで対向する短側面１３を平面視したものとなる。左側から見た側面図は、第１の表面１０及び第２の表面１１のそれぞれの長辺の間を結ぶ長側面１４側から平面視したものである。右側から見た側面図は、左側から見た側面図の長側面１４と、第１の表面１０及び第２の表面１１を挟んで対向する長側面１４を平面視したものとなる。
【００２６】
ここで、第１の表面１０の第１の対角線Ａの両端に位置する切り欠き１２、すなわち、図３の正面図において右上の切り欠き１２、及び左下の切り欠き１２に配置された電極は、それぞれ正極端子３ａ、３ｂである。又、第１の対角線Ａと交差する第２の対角線Ｂの両端に位置する切り欠き１２、すなわち、左上の切り欠き１２及び右下に切り欠き１２に配置された電極は、それぞれ負極端子４ａ、４ｂである。
【００２７】
なお、２つの短側面１３、及び２つの長側面１４のそれぞれに着目すると、いずれの面においても、その一端に正極端子３ａ（又は３ｂ）が配置され、他端に負極端子４ａ（又は４ｂ）が配置されている。
【００２８】
ちなみに、角型の形状とは、例えば、直方体の形状を指し示す。但し、幾何学的に完全な直方体に限定されるものではなく、互いに平行な２つの平面からなる平面の対が３組あり（すなわち６つの面があり）、これらの３組の平面の対が相互に直交していることを識別できればよい。例えば、図１において、第１の表面１０と第２の表面１１からなる第１の対、互いに対向する２つの短側面１３からなる第２の対、互いに対向する長側面１４からなる第３の対とし、第１の対及び第２の対が直交し、第２の対及び第３の対が直交し、且つ第３の対が第１の対と直交していれば、蓄電装置１は角型の形状とみなしてもよい。
【００２９】
又、この直方体形状は、各々の辺あるいは各々の頂点は丸められた形状であってもよいし、各々の辺あるいは各々の頂点を面取りした小さな面を含んでいてもよい。更に、各々の辺あるいは各々の面に、部分的な切り欠きや部分的な窪みが形成されていてもよい。
【００３０】
＜第２の実施形態＞
図５に、４つの蓄電装置１を、それらの長側面１４が互いに対向して接するように横並び接続した組電池８を示す。それぞれの蓄電装置１は、第１の表面１０と、第１の表面１０の反対側に位置する第２の表面１１とが交互に同一平面をなすように並べられている。このような並びにおいては、互いに隣接する蓄電装置１同士が、それぞれの長側面１４に対して鏡面対称となっている。
【００３１】
図６は、４つの蓄電装置１を横並び接続した組電池８の正面図、及びこの組電池８を上下のそれぞれの方向から見た側面図である。その中央に正面図が示され、上側から見た側面図が正面図の上側に、下側から見た側面図が正面図の下側に、それぞれ記載されている。
【００３２】
図６の正面図では、第１の表面１０が見える蓄電装置１と、第２の表面１１が見える蓄電装置１と、が交互に並んでいる。上側から見た側面図は、第１の表面１０及び第２の表面１１のそれぞれの短辺の間を結ぶ短側面１３側から平面視したものである。下側から見た側面図は、上側から見た側面図の短側面１３と、第１の表面１０及び第２の表面１１を挟んで対向する短側面１３を平面視したものとなる。
【００３３】
図６の上側からみた側面図には、正極端子３ａ同士及び負極端子４ａ同士が交互に隣接して配置され、下側からみた側面図には、正極端子３ｂ同士及び負極端子４ｂ同士が交互に隣接して配置されることが示されている。そして、互いに隣接した正極端子３ａ、３ｂのそれぞれは第１のバスバー９ａで接続され、互いに隣接した負極端子４ａ、４ｂのそれぞれは第２のバスバー９ｂで接続されている。
【００３４】
図７は、図５に示した横並び接続の組電池８の各端子部分を端子カバー５で覆い隠した状態を示す。端子カバー５は、正極端子３ａ、３ｂを覆う第１の端子カバー５ａ、５ｂ、及び負極端子４ａ、４ｂを覆う第２の端子カバー５ｃ、５ｄに分類されてもよい。例えば、正極端子３ａ及びそれらを接続する第１のバスバー９ａを第１の端子カバー５ａ、５ｂで覆い、負極端子４ｂ及びそれらを接続する第２のバスバー９ｂを第２の端子カバー５ｃ、５ｄで覆っている。これら端子カバー５は、上記端子及びバスバーを周囲から電気的に絶縁する短絡保護を行っている。
【００３５】
又、端子カバー５のそれぞれは、蓄電装置１の筐体２に対して大きな突起及び窪みがなく、互いに連続する平滑な面をなしている。なお、他の部分の端子及びバスバーも同様に端子カバー５で覆われている。
【００３６】
このように、第２の実施形態による組電池８は、個々の蓄電装置１の正極端子３ａ、３ｂ同士及び負極端子４ａ、４ｂ同士が必ず隣接するように横並び配置が可能である。従って、端子同士を接続するためのバスバー等の配線を、個々の蓄電装置１の切り欠き１２が互いに隣接して形成する凹部の中に収納し、その凹部を覆う端子カバー５により短絡保護ができる。このことにより、電極間接続のバスバー及びその短絡保護構造を筐体内に収納可能である、蓄電装置１を横並び接続した大容量の組電池８を提供することができる。
【００３７】
＜第３の実施形態＞
図８に、４つの蓄電装置１を、それらの短側面１３が互いに対向して接するように縦並び接続した組電池８を示す。それぞれの蓄電装置１は、第１の表面１０と、第１の表面１０の反対側に位置する第２の表面１１とが交互に同一平面をなすように並べられている。このような並びにおいては、互いに隣接する蓄電装置１同士が、それぞれの短側面１３に対して鏡面対称となっている。
【００３８】
図９は、４つの蓄電装置１を縦並び接続した組電池８の正面図、及びこの組電池８を左右のそれぞれの方向から見た側面図である。その中央に正面図が示され、左側から見た側面図が正面図の左側に、右側から見た側面図が正面図の右側に、それぞれ記載されている。
【００３９】
図９の正面図では、第１の表面１０が見える蓄電装置１と、第２の表面１１が見える蓄電装置１とが交互に並んでいる。左側から見た側面図は、第１の表面１０及び第２の表面１１のそれぞれの長辺の間を結ぶ長側面１４側から平面視したものである。右側から見た側面図は、左側から見た側面図の長側面１４と、第１の表面１０及び第２の表面１１を挟んで対向する長側面１４を平面視したものとなる。
【００４０】
図９の左側からみた側面図には、正極端子３ｂ同士及び負極端子４ａ同士が交互に隣接して配置され、右側からみた側面図には、正極端子３ａ同士及び負極端子４ｂ同士が交互に隣接して配置されることが示されている。そして、互いに隣接した正極端子３ａ、３ｂのそれぞれは第１のバスバー９ａで接続され、互いに隣接した負極端子４ａ、４ｂのそれぞれは第２のバスバー９ｂで接続されている。
【００４１】
図１０は、図８に示した縦並び接続の組電池８の各端子部分を端子カバー５で覆い隠した状態を示す。例えば、正極端子３ｂ及びそれらを接続する第１のバスバー９ａを第１の端子カバー５ａ、５ｂで覆い、負極端子４ｂ及びそれらを接続する第２のバスバー９ｂを第２の端子カバー５ｃ、５ｄで覆っている。これらの端子カバー５は、上記端子及びバスバーを周囲から電気的に絶縁する短絡保護を行っている。
【００４２】
又、端子カバー５のそれぞれは、蓄電装置１の筐体２に対して大きな突起及び窪みがなく、互いに連続する平滑な面をなしている。なお、他の部分の端子及びバスバーも同様に端子カバー５で覆われている。
【００４３】
このように、第３の実施形態による組電池８は、個々の蓄電装置１の正極端子３ａ、３ｂ同士及び負極端子４ａ、４ｂ同士が必ず隣接するように縦並び配置が可能である。従って、端子同士を接続するためのバスバー等の配線を、個々の蓄電装置１の切り欠き１２が互いに隣接して形成する凹部の中に収納し、その凹部を覆う端子カバー５により短絡保護ができる。このことにより、電極間接続のバスバー及びその短絡保護構造を筐体内に収納可能である、蓄電装置１を縦並び接続した大容量の組電池８を提供することができる。
【００４４】
＜第４の実施形態＞
図１１は、図５に示した横並び接続の組電池８の５組を、それぞれの第１の表面１０及び第２の表面１１が互いに対向して接するように積層した構成を示す。
【００４５】
図１２は、図１１に示した組電池８の正面図、及びこの組電池８を上下左右のそれぞれの方向から見た側面図である。その中央に、第１の表面１０及び第２の表面１１が見える正面図が示され、上側から見た側面図が正面図の上側に、下側から見た側面図が正面図の下側に、左側から見た側面図が正面図の左側に、右側から見た側面図が正面図の右側に、それぞれ記載されている。
【００４６】
図１２の上側から見た側面図及び下側から見た側面図はいずれも、蓄電装置１の短側面１３を平面視したものとなる。上側から見た側面図では、横並び接続により互いに隣接した正極端子３ａ及び負極端子４ａが、それらを接続した第１のバスバー９ａ及び第２のバスバー９ｂと共に積層方向に一直線上に並んでいる。同様に、下側から見た側面図では、横並び接続により互いに隣接した正極端子３ｂ及び負極端子４ｂが、それらを接続した第１のバスバー９ａ及び第２のバスバー９ｂと共に積層方向に一直線上に並んでいる。
【００４７】
ここで、横並び接続されていた組電池８の４つの蓄電装置のそれぞれは、すでに第１のバスバー９ａ及び第２のバスバー９ｂで互いに並列接続されている。加えて、図１２の右側から見た側面図に示したように、一直線上に並んだ５つの正極端子３ｂを１つの第３のバスバー９ｃで一括して接続し、図１２の左側から見た側面図に示したように、一直線上に並んだ５つの負極端子４ａを１つの第４のバスバー９ｄで一括して接続する。これにより、計２０個の蓄電装置１の全部が並列接続された組電池８が構成される。
【００４８】
なお、複数の第１のバスバー９ａの各々が、互いに隣接する２つの正極端子３ａ、３ｂのそれぞれを接続しているが、このうち、一直線上に並ぶ５つの第１のバスバー９ａを１つのバスバーに置き換えて一括して接続してもよい。同様に、複数の第２のバスバー９ｂの各々が、互いに隣接する２つの負極端子４ａ、４ｂのそれぞれを接続しているが、このうち、一直線上に並ぶ５つの第２のバスバー９ｂを１つのバスバーに置き換えて一括して接続してもよい。
【００４９】
図１３は、図１１に示した横並び接続の組電池８を更に積層した組電池８の各端子部分を、端子カバー５で覆い隠した状態を示す。例えば、正極端子３ａ及び第１のバスバー９ａを第１の端子カバー５ａ、５ｂで覆い、負極端子４ｂ及び第２のバスバー９ｂを第２の端子カバー５ｃ、５ｄで覆っている。これらの端子カバー５は、上記端子及びバスバーを周囲から電気的に絶縁する短絡保護を行っている。
【００５０】
ここで、端子カバー５のそれぞれは、蓄電装置１の筐体２に対して大きな突起及び窪みがなく、互いに連続する平滑な面をなしている。なお、他の部分の端子及びバスバーも同様に端子カバー５で覆われている。
【００５１】
このように、第４の実施形態による組電池８は、個々の蓄電装置１の正極端子３ａ、３ｂ同士及び負極端子４ａ、４ｂ同士が必ず隣接し、且つ一直線上に並ぶように、横並び配置した組電池８を積層することが可能である。従って、端子同士を接続するためのバスバー等の配線を、個々の蓄電装置１の切り欠き１２が互いに隣接して形成する凹部の中に収納し、その凹部を覆う端子カバー５により短絡保護ができる。このことにより、電極間接続のバスバー及びその短絡保護構造を筐体内に収納可能である、蓄電装置１を立体的に接続した大容量の組電池８を提供することができる。
【００５２】
＜第５の実施形態＞
図１４は、図８に示した縦並び接続の組電池８の５組を、それぞれの第１の表面１０及び第２の表面１１が互いに対向して接するように積層した構成を示す。
【００５３】
図１５は、図１４に示した組電池８の正面図、及びこの組電池８を左右のそれぞれの方向から見た側面図である。その中央に、第１の表面１０及び第２の表面１１が見える正面図が示され、左側から見た側面図が正面図の左側に、右側から見た側面図が正面図の右側に、それぞれ記載されている。
【００５４】
図１４の左側から見た側面図及び右側から見た側面図はいずれも、蓄電装置１の長側面１４を平面視したものとなる。左側から見た側面図では、縦並び接続により互いに隣接した正極端子３ｂ及び負極端子４ａが、それらを接続した第１のバスバー９ａ及び第２のバスバー９ｂと共に積層方向に一直線上に並んでいる。同様に、右側から見た側面図では、縦並び接続により互いに隣接した正極端子３ａ及び負極端子４ｂが、それらを接続した第１のバスバー９ａ及び第２のバスバー９ｂと共に積層方向に一直線上に並んでいる。
【００５５】
ここで、縦並び接続されていた組電池８の４つの蓄電装置１のそれぞれは、すでに第１のバスバー９ａ及び第２のバスバー９ｂで互いに並列接続されている。加えて、図１５の右側図面の最上部に示された、一直線上に並んだ５つの正極端子３ａを１つの第３のバスバー９ｃで一括して接続し、図１２の左側図面の最下部に示したように、一直線上に並んだ５つの負極端子４ａを１つの第４のバスバー９ｄで一括して接続する。これにより、計２０個の蓄電装置１の全部が並列接続された組電池８が構成される。
【００５６】
なお、複数の第１のバスバー９ａの各々が、互いに隣接する２つの正極端子３ａ、３ｂのそれぞれを接続しているが、このうち、一直線上に並ぶ５つの第１のバスバー９ａを１つのバスバーに置き換えて一括して接続してもよい。同様に、複数の第２のバスバー９ｂの各々が、互いに隣接する２つの負極端子４ａ、４ｂのそれぞれを接続しているが、このうち、一直線上に並ぶ５つの第２のバスバー９ｂを１つのバスバーに置き換えて一括して接続してもよい。
【００５７】
図１６は、図１４に示した縦並び接続の組電池８を更に積層した組電池８の各端子部分を、端子カバー５で覆い隠した状態を示す。例えば、正極端子３ｂ及び第１のバスバー９ａを第１の端子カバー５ａ、５ｂで覆い、負極端子４ｂ及び第２のバスバー９ｂを第２の端子カバー５ｃ、５ｄで覆い、上記端子及びバスバーを周囲から電気的に絶縁する短絡保護を行っている。又、縦並び接続の縦方向の両端部の第３のバスバー９ｃ及び第４のバスバー９ｄのそれぞれは、５つの端子カバー５で覆われて、その周囲から静電保護されている。
【００５８】
ここで、端子カバー５のそれぞれは、蓄電装置１の筐体２に対して大きな突起及び窪みがなく、互いに連続する平滑な面をなしている。なお、他の部分の端子及びバスバーも同様に端子カバー５で覆われている。
【００５９】
このように、第５の実施形態による組電池８は、個々の蓄電装置１の正極端子３ａ、３ｂ同士及び負極端子４ａ、４ｂ同士が必ず隣接し、且つ一直線上に並ぶように、縦並び配置した組電池８を積層することが可能である。従って、端子同士を接続するためのバスバー等の配線を、個々の蓄電装置１の切り欠き１２が互いに隣接して形成する凹部の中に収納し、その凹部を覆う端子カバー５により短絡保護ができる。このことにより、電極間接続のバスバー及びその短絡保護構造を筐体内に収納可能である、蓄電装置１を立体的に接続した大容量の組電池８を提供することができる。
【符号の説明】
【００６０】
１    蓄電装置
２    筐体
３ａ、３ｂ  正極端子
４ａ、４ｂ  負極端子
５    端子カバー
５ａ、５ｂ  第１の端子カバー
５ｃ、５ｄ  第２の端子カバー
６    ボルト
７    雄螺子型端子
８    組電池
９ａ  第１のバスバー
９ｂ  第２のバスバー
９ｃ  第３のバスバー
９ｄ  第４のバスバー
１０    第１の表面
１１    第２の表面
１２    切り欠き
１３    短側面
１４    長側面
【図１】
2019212561.tif 000003
【図２】
2019212561.tif 000004
【図３】
2019212561.tif 000005
【図４】
2019212561.tif 000006
【図５】
2019212561.tif 000007
【図６】
2019212561.tif 000008
【図７】
2019212561.tif 000009
【図８】
2019212561.tif 000010
【図９】
2019212561.tif 000011
【図１０】
2019212561.tif 000012
【図１１】
2019212561.tif 000013
【図１２】
2019212561.tif 000014
【図１３】
2019212561.tif 000015
【図１４】
2019212561.tif 000016
【図１５】
2019212561.tif 000017
【図１６】
2019212561.tif 000018